(57)【要約】      （修正有）【課題】現場打設コンクリートの品質を事前及び打設時に視認できる透明せき板補助材を提供する。【解決手段】コンクリート打設の在来木製型枠工法で用いられる、サイズが１８００ｍｍ×９００ｍｍ×１２ｍｍのせき板に取付又は取替え可能な透明せき板補助材であって、材質がプラスチック製で巾＝９００ｍｍ、高さ＝６０ｍｍ〜２００ｍｍ、厚さ＝６〜１２ｍｍである。本体１を在来木製型枠工法の最下部及び中間部、開口部の下部等に補助せき板として設置することにより、コンクリート打設前の残雪及び清掃状況と打設中の充填位置及び状況を視認でき、コンクリートの品質管理と出来栄えの向上につながる。【選択図】図３
0003226075.tif 000002
【実用新案登録請求の範囲】
【請求項１】
従来のコンクリート打設の在来木製型枠工法（１２ｍｍのせき板）の透明せき板補助材としての材質プラスチック製で巾＝９００ｍｍ、高さ６０ｍｍ〜２００ｍｍ、厚さ６〜１２ｍｍの透明せき板補助材
【考案の詳細な説明】
【技術分野】
【０００１】  本考案は、コンクリート建設物を構築するための従来のコンクリート打設用の在来木製型枠工法の最下段及び中間部、開口部の下部等に補助せき板として設置することによりコンクリート打設前の残雪・清掃状況及び室内空間の明かり取り、打設時の投入空間内の打設位置及び状況を視認できる。
【背景技術】
【０００２】  従来の在来木製型枠工法では内部空間が全く見えず、冬季間における型枠立込後の型枠内部における積雪の有無の確認、コンクリート打設前の型枠内部の異物混入及び清掃状況の確認、コンクリートの充填位置と状況等の確認ができない。このため、出来上がりに不備が生ずることもしばしば発生し、熟練工の経験、感に頼らざるを得ないといった問題を有していた。
本考案はあくまでも従来の在来木製型枠工法（１８００ｍｍ×９００ｍｍ×１２ｍｍのせき板）との組合せですので、本考案の製品は巾を９００ｍｍ、厚みを６〜１２ｍｍとしている。
【先行技術文献】
【特許文献】
【０００３】
【特許文献１】実願２０１２−００７５２７
【特許文献２】
【非特許文献】
【０００４】
【非特許文献１】
【非特許文献２】
【考案の概要】
【考案が解決しようとする課題】
【０００５】  本考案は、前記のような課題を解決するためになされたものであり、建設物を構築するための従来の在来木製せき板の補助せき板材として設置することにより、熟練工の経験、感に頼ることなく、コンクリート投入空間内の状況を視認できる透明型枠補助材を得ることを目的とする。全てを透明せき板にすることは経済面での負担も大きい。
【課題を解決するための手段】
【０００６】  本考案に係る透明せき板補助材は、従来の在来木製せき板と併用できる透明せき板補助材であって、木製在来型枠の最下部及び中間部等に在来木製せき板の代わりに置換えするのもである。
【考案の効果】
【０００７】  本考案によれば、透明せき板補助材を、従来の在来木製型枠工法の適切な箇所に組込み、柱及び壁等の型枠を構築することにより、従来のコンクリート打設用の在来木製せき板と併用でき、熟練工の経験、感に頼ることなく、コンクリート投入内部空間の状況を視認できる透明せき板補助材を得ることができる。
【図面の簡単な説明】
【０００８】
【図１】本考案の実施の形態における透明せき板補助材の形状を示したせき板製作平面図及び断面図である。
【図２】従来のコンクリート打設用の在来木製型枠工法の構築の一例を示した斜視図である。
【図３】本考案の実施の形態における透明せき板補助材の構築の一例を示した斜視図である。
【考案を実施するための形態】
【０００８】  図１にて製作さてた透明せき板補助材を在来木製型枠工法の桟木に釘止めする
【実施例】
【・・・・】
【産業上の利用可能性】
【・・・・】
【符号の説明】
【０００９】  １  透明せき板補助材
【図１】
0003226075.tif 000003
【図２】
0003226075.tif 000004
【図３】
0003226075.tif 000005
【手続補正書】
【提出日】令和2年2月5日(2020.2.5)
【手続補正１】
【補正対象書類名】実用新案登録請求の範囲
【補正対象項目名】全文
【補正方法】変更
【補正の内容】
【実用新案登録請求の範囲】
【請求項１】
コンクリート打設の在来木製型枠工法で用いられる、サイズが１８００ｍｍ×９００ｍｍ×１２ｍｍのせき板に取付又は取替え可能な透明補助材で材質がプラスチック製で巾＝９００ｍｍ高さ６０ｍｍ〜２００ｍｍ厚さ６〜１２ｍｍの透明せき板補助材である。
【手続補正２】
【補正対象書類名】明細書
【補正対象項目名】全文
【補正方法】変更
【補正の内容】
【考案の詳細な説明】
【技術分野】
【０００１】  本考案は、コンクリート建設物を構築するためのコンクリート打設用の在来木製型枠工法の最下段及び中間部、開口部の下部等に補助せき板として設置することによりコンクリート打設前の残雪・清掃状況及び室内空間の明かり取り、打設時の投入空間内の打設位置及び状況を視認できる。
【背景技術】
【０００２】  在来木製型枠工法では内部空間が全く見えず、冬季間における型枠立込後の型枠内部における積雪の有無の確認、コンクリート打設前の型枠内部の異物混入及び清掃状況の確認、コンクリートの充填位置と状況等の確認ができない。このため、出来上がりに不備が生ずることもあり、熟練工の経験、感に頼らざるを得ないといった問題を有していた。
本考案はあくまでも在来木製型枠工法（１８００ｍｍ×９００ｍｍ×１２ｍｍのせき板）との組合せですので、本考案の製品は巾を９００ｍｍ厚みを６〜１２ｍｍとしている。
【先行技術文献】
【特許文献】
【０００３】
【特許文献１】実願２０１２−００７５２７
【特許文献２】
【非特許文献】
【０００４】
【非特許文献１】
【非特許文献２】
【考案の概要】
【考案が解決しようとする課題】
【０００５】  本考案は、前記のような課題を解決するためになされたものであり、建設物を構築するための在来木製せき板の補助せき板材として設置することにより、熟練工の経験、感に頼ることなく、コンクリート投入空間内の状況を視認できることを目的とする。全てを透明せき板にすることは経済面での負担も大きい。
【課題を解決するための手段】
【０００６】  本考案に係る透明せき板補助材は、在来木製せき板と併用できる透明せき板補助材であって、木製在来型枠の最下部及び中間部等に在来木製せき板の代わりに置換えするのもである。
【考案の効果】
【０００７】  本考案によれば、透明せき板補助材を、在来木製型枠工法の適切な箇所に組込み、柱及び壁等の型枠を構築することにより、コンクリート投入の内部空間の状況を目視できるようになる為、熟練工の経験、感に頼ることなく良質なコンクリートに仕上げることができる。
【図面の簡単な説明】
【０００８】
【図１】本考案の実施の形態における透明せき板補助材の形状を示したせき板製作平面図及び断面図である。
【図２】コンクリート打設用の在来木製型枠工法の構築の一例を示した斜視図である。
【図３】本考案の実施の形態における透明せき板補助材の構築の一例を示した斜視図である。
【考案を実施するための形態】
【０００９】  図１にて製作さてた透明せき板補助材を在来木製型枠工法の桟木に釘止めする
【実施例】
【・・・・】
【産業上の利用可能性】
【・・・・】
【符号の説明】
【００１０】１  透明せき板補助材